(57)【特許請求の範囲】
【請求項１】
注射針が穿通できる硬度で形成されたシート状の皮膚模擬層と、
前記皮膚模擬層の下に設けられ、前記注射針が穿通できる硬度で形成された板状の皮下組織模擬層と、
前記皮下組織模擬層の下に設けられ、前記注射針の貫通を防止できる硬度で形成され、平面の上に突起体を連続させた板体である注射針穿通防止層と、
前記皮下組織模擬層の表面上、半埋没、または埋没させるように配置した１本または複数本の模擬血管チューブを備え、
前記突起体の少なくとも一部の壁面の前記注射針穿通防止層の底面に対する角度が、前記注射針の穿通練習において推奨する前記皮下組織模擬層に対する穿通角度よりも大きい角度に調整されたのものであることを特徴とする注射器を用いた注射の練習を行う注射トレーニング器具。
【請求項２】
前記注射針穿通防止層が、平面の上にギザ状の突起体を連続させた板体である請求項１に記載の注射トレーニング器具。
【請求項３】
前記注射針穿通防止層が、平面の上にピラミッド状の突起体を四方に連続させた板体である請求項１に記載の注射トレーニング器具。
【請求項４】
前記注射針穿通防止層が、平面の上にドーム状の突起体を四方に連続させた板体である請求項１に記載の注射トレーニング器具。
【請求項５】
前記注射針穿通防止層の下に練習台または練習台となる者の腕に粘着させる粘着層を備えたことを特徴とする請求項１から４のいずれかに記載の注射トレーニング器具。
【請求項６】
皮下組織模擬層の中に、前記注射針で穿通可能な膜にて形成した模擬血液を含有させた模擬血液封入体をまばらに埋設して配置した請求項１から５のいずれか１項に記載の注射トレーニング器具。
【請求項７】
前記皮膚模擬層が、透明のもの、肌色のものから選択して入れ替え可能とした請求項１から６のいずれか１項に記載の注射トレーニング器具。
【請求項８】
前記模擬血管チューブの色が人間の静脈の色に模した色である請求項１から７のいずれか１項に記載の注射トレーニング器具。
【請求項９】
前記皮膚模擬層、前記皮下組織模擬層および粘着層がシリコーンゲル素材で形成され、前記注射針穿通防止層がプラスチック樹脂素材またはゴム素材で形成されたものである請求項１から８のいずれか１項に記載の注射トレーニング器具。
【発明の詳細な説明】
【技術分野】
【０００１】
本発明は、動脈や静脈へ穿刺する際の手技を練習する注射トレーニング器具に関する。特に、患者の人体を用いた練習に近い注射を再現でき、研修医、看護実習者に対して、実際の注射器を用いた注射を練習せしめる注射トレーニング器具に関する。
【背景技術】
【０００２】
治療過程や検査過程において、薬剤の投与または体液の採取など様々な場面において、注射器を用いて患者または被験者の体内に注射針を穿通することが多くある。注射針の穿通は看者に痛みを与えることとなるため、医師や看護師などの医療関係者にとってその技量を磨くことは重要である。この注射の技量はやはり経験の中で磨かれてゆくことが多い。もし、注射技量の習得中の者が、実際の患者や被験者を相手にするのではなくトレーニング機器により技量を研鑽できれば好都合である。
【０００３】
従来技術において、効果的な注射技量の習得を行うことを目的とした注射トレーニング器具が幾つか知られている。
例えば、図１０に示した特開平１０−１６１５２２号公報に開示された注射練習器具が知られている。  この注射練習器具は、ケーシングをその上壁に開口窓を設け、下壁を注射部位に沿う湾曲形状となし、ケーシング内に人の皮下層を模したスポンジ体の表面にアクリル系の皮膜を溶剤接着させた弾力部材を収納させたもので、ケーシングを人体の注射予定部位に乗せるなどした後、弾力部材をつまみ上げ、注射の抵抗感を与えながら注射針を刺して注射の練習を行うようにしたものである。
【０００４】
また、例えば、図１１に示した特開２００２−３２５８３９号公報に開示された穿通シミュレータが知られている。この穿通シミュレータは、注射針の穿通の練習の部分を抜粋して説明すれば、腕を模した腕模型と、その腕模型に設けた穿通シャントと、その穿通シャントの中を通る血管を模した循環流路を設けた構造である。練習者は穿通シャントに対して注射針を穿通してその内部にある模擬血管に差し込むことを繰り返して練習できるものである。
【０００５】
また、例えば、図１２に示した特開２０１０−２４３８６７号公報に開示された注射練習器が知られている。この注射練習器は、高弾力性層を構成する下層の高弾力シリコーンゴムシートと、その上面に接合状態に配した低弾力層を構成する上層の低弾力シリコーンゴムシートと、低弾力シリコーンゴムシート中に埋め込んだ大径の模擬血管チューブ及び小径の模擬血管チューブとからなるものである。模擬血管チューブは、高弾力シリコーンゴムシートの弾力で低弾力シリコーンゴムシート側に押され、低弾力シリコーンゴムシートの対応する外面側の部位を外面に膨出させることにより、いわゆる人間の皮膚下における血管の盛り上がりを再現せしめたものである。練習者は、低弾力シリコーンゴムシートの下にある模擬血管チューブに対して外表面側から注射針を穿通することを繰り返して手技を練習するものとなっている。
【０００６】
【特許文献１】特開平１０−１６１５２２号公報
【特許文献２】特開２００２−３２５８３９号公報
【特許文献３】特開２０１０−２４３８６７号公報
【発明の開示】
【発明が解決しようとする課題】
【０００７】
従来技術において、医療関係者用の注射技量習得を目的とした注射トレーニング器具は、特許文献１から特許文献３に示すようなものは知られていたが、それぞれ下記に示すような問題があった。
【０００８】
上記の特許文献１の特開平１０−１６１５２２号公報に示した注射練習器具は、皮膚をつまんで注射をするいわゆる皮下注射の練習には使用できるものの、体内の動脈や静脈という血管に対して穿通するような血管内注射の練習ができず注射技量の習得としては不十分なものであった。
【０００９】
次に、上記特許文献２の特開２００２−３２５８３９号公報に開示された穿通シミュレータは、透析患者のように特定の穿通箇所に対応する穿通シャントが形成されたものであり、その決まった箇所の穿通シャントに対して注射針を穿通することしか練習できない。また穿通シャントは盛り上がった構造をしており、一般の皮下の血管内に穿通するという条件とは異なった状態にある。一般に血管内注射や採血などを行う場合、穿通する血管の場所、太さ、深さ、形状などが患者や被験者によって多様であり、それゆえの難しさが存在する。実際の静脈注射では皮下の血管の適切な位置を探して穿通するという技量が求められる。このように、患者や被験者の皮膚に対して所定角度で斜めに穿通しつつ皮下の血管を探してアクセスすることは難しいところ、この特許文献２の穿通シミュレータでは、最初から盛り上がった所定箇所の穿通シャントがあり、それに穿通する練習を繰り返しても皮下の血管に対して穿通する技量は習得できない。
【００１０】
次に、上記特許文献３の特開２０１０−２４３８６７号公報に開示された注射練習器によれば、患者や被験者の皮膚に対して所定角度で斜めに穿通しつつ皮下の血管まで穿通するという練習は可能と考えられる。しかし、この特許文献３の注射練習器は、机の上など静止した平らな場所に設置して練習することが前提のものと言わざるを得ないものである。なぜならば、誤った穿通に対する安全対策がなされておらず、練習に協力してくれる練習台となる者の実際の腕の上に載せ置いて練習することができないものである。
実際の静脈注射では、患者や被験者の腕は丸みをおびており、また、呼吸や脈拍による微振動など、生体特有の条件のもと、皮下の血管の適切な位置を探して穿通するという技量が求められる。そのためには、注射トレーニング器具を練習に協力してくれる練習台となる者の実際の腕の上に載せ置いて練習することがもっとも好ましい練習である。
しかし、ここで、以下の問題が生じる。模擬血管は、特許文献３にいう高弾力素材で形成されるため、特許文献３の構成では、高弾力素材の模擬体内組織に、高弾力素材の模擬血管が埋設されているだけの状態であるから、初心者などのトレーニングにおいて、誤って深く穿通したり、誤って異なる箇所を穿通したりしている場合でも良く分からず、そのまま深く穿通し続けて貫通しまい、練習台となる者の実際の腕を傷つけてしまうおそれがある。また、例えば机の上に静置して練習する場合でも、やはり注射針が貫通してしまって机に注射針を突き立ててしまうことは好ましくない。
【００１１】
上記問題点に鑑み、本発明は、机の上に静置した状態または練習台となる者の実際の腕に載せ置いた状態にて、皮下の血管の適切な位置を探して穿通するという注射技量の習得が可能となる注射トレーニング器具を提供することを目的とする。
【課題を解決するための手段】
【００１２】
上記目的を達成するため、本発明にかかる注射トレーニング器具は、注射針が穿通できる硬度で形成されたシート状の皮膚模擬層と、前記皮膚模擬層の下に設けられ、前記注射針が穿通できる硬度で形成された板状の皮下組織模擬層と、前記皮下組織模擬層の下に設けられ、前記注射針の貫通を防止できる硬度で形成され、平面の上に突起体を連続させた板体である注射針穿通防止層と、前記皮下組織模擬層の表面上、半埋没、または埋没させるように配置した１本または複数本の模擬血管チューブを備え、前記突起体の少なくとも一部の壁面の前記注射針穿通防止層の底面に対する角度が、前記注射針の穿通練習において推奨する前記皮下組織模擬層に対する穿通角度よりも大きい角度に調整されたのものであることを特徴とする注射器を用いた注射の練習を行う注射トレーニング器具である。
例えば、素材であるが、皮膚模擬層、皮下組織模擬層および粘着層がシリコーンゲル素材で形成され、注射針穿通防止層がプラスチック樹脂素材またはゴム素材で形成されたものとすることが好ましい。
なお、前記注射針穿通防止層の下に練習台または練習台となる者の腕に粘着させる粘着層を備えた構成も好ましい。
【００１３】
上記構成によれば、注射トレーニング器具は、皮膚模擬層によりいわゆるさらさらした人間の皮膚感に近づけつつ、皮下組織模擬層の下には注射針穿通防止層を設けているので、誤って深く穿通した場合でも、注射針が注射トレーニング器具を突き破って裏面から突き出ることがない。そのため、練習台となる者の実際の腕に載せ置いて練習している場合でも、練習台となる者の腕を傷つけるおそれがなくなる。
【００１４】
なお、上記構成において、皮下組織模擬層の中に、前記注射針で穿通可能な膜にて形成した模擬血液を含有させた模擬血液封入体をまばらに埋設して配置しておくことが好ましい。
上記構成によれば、練習中に模擬血液封入体に穿通してしまうと、模擬血液が皮下組織模擬層に染み出ることとなり、実際の注射時における出血なども再現した練習を行うことができる。
【００１５】
ここで、皮膚模擬層については、透明のものと肌色のものとを用意しておいて、選択して入れ替え可能とすることが好ましい。透明であれば、内部の模擬血管チューブを目視しつつ練習を行うことができ、肌色であれば、より一層、実際の患者の腕に近い感覚で練習することができる。
模擬血管チューブの色が人間の静脈の色に模した色とすることが好ましい。実際の人体における静脈の色と近しい色としておくことで、一層、模擬練習の効果が高まるからである。
【００１６】
なお、模擬血管チューブは、皮下組織模擬層の表面上、半埋没、または埋没させるように配置しておくことにより、実際の患者や被験者の腕の様々なタイプの血管状態、つまり、比較的皮膚の上面に浮き出ている血管で皮膚が盛り上がったような状態のもの、比較的皮膚の浅いところに埋まっている血管、さらに、比較的皮膚の奥深くに埋まっている血管などを再現することができる。また、血管の太さにバリエーションを持たせたり、血管の形のバリエーションを持たせたりすることができる。
【００１７】
注射針穿通防止層の基本形状は、注射針が穿通しにくい比較的高いプラスチック素材やゴム素材で形成するが、その形状はシンプルな平面状の板体が基本であるが、以下のような様々な工夫を施すことも可能である。
例えば、注射針穿通防止層が、平面の上にギザ状の突起体を連続させた板体とする工夫である。
例えば、注射針穿通防止層が、平面の上にピラミッド状の突起体を四方に連続させた板体とする工夫である。
例えば、注射針穿通防止層が、平面の上にドーム状の突起体を四方に連続させた板体とする工夫である。
【００１８】
これら工夫において、各々の突起体の壁面の少なくとも一部が、注射針の穿通練習において推奨する角度よりも大きい角度に調整することが好ましい。
これらは、いずれも、比較的浅い角度を持って穿通する注射針に対して、対向するような斜面を提供するものであり、また、皮下組織模擬層との境界面においてわずかであるが隙間を持つことができる。
まず、注射針に対して対向する斜面が提供できれば、注射針が注射針穿通防止層を突き抜けるための距離が格段に長くなるため、突き抜け事故を効果的に防止することができる。いずれも、注射針の穿通練習において推奨する角度よりも大きい角度の斜面となっておれば、注射針が注射針穿通防止層の基板の平面部分に達する前にかならず突起体に当たることとなり、突起体を通過する分だけ距離が長くなる。
さらに、突起体があることによる皮下組織模擬層との境界面の変化により、練習者は、注射針から受ける抵抗が、隙間に達して一瞬軽くなり、その後注射針穿通防止層に当たって急に大きくなるという感覚を得ることができるため、誤って深く差し込んでいることを触感で感得することができる。もし、皮下組織模擬層と注射針穿通防止層が平面的な境界面で接しているよりも明らかに敏感な触感を得ることができる。
【発明の効果】
【００１９】
本発明の注射トレーニング器具によれば、机の上に静置した状態または練習台となる者の実際の腕に載せ置いた状態にて皮下の血管の適切な位置を探して穿通するという注射技量の習得が可能となる。
また、本発明の注射トレーニング器具によれば、誤って深く穿通した場合でも、注射針が注射トレーニング器具を突き破って裏面から突き出ることがなく、練習台となる者の実際の腕に載せ置いて練習している場合でも、練習台となる者の腕を傷つけるおそれがなくなる。
【図面の簡単な説明】
【００２０】
【図１】実施例１にかかる注射トレーニング器具１００の構成を簡単に示した図である。
【図３】注射トレーニング器具１００の使用時の状態を簡単に示した図である。
【図２】模擬血管チューブ１５０の様々なパターンを示す図である。
【図４】注射針を穿通する様子をシミュレートした図である。
【図５】実施例２にかかる注射トレーニング器具１００ａを示す図である。
【図６】注射針２００を穿通する様子をシミュレートした図である。
【図７】注射針穿通防止層１３０の表面にギザ状の突起体を設ける工夫例を示した図である。
【図８】注射針穿通防止層１３０の表面にピラミッド状の突起体を四方に連続させた工夫例を示した図である。
【図９】注射針穿通防止層１３０の表面にドーム状の突起体を四方に連続させた工夫例を示した図である。
【図１０】従来技術（特開平１０−１６１５２２号公報）に開示された注射練習器具を簡単に示した図である。
【図１１】従来技術（特開２００２−３２５８３９号公報）に開示された穿通シミュレータを示す図である。
【図１２】従来技術（特開２０１０−２４３８６７号公報）に開示された注射練習器を示す図である。
【発明を実施するための最良の形態】
【００２１】
以下、図面を参照しつつ、本発明の注射トレーニング器具の実施例を説明する。ただし、本発明の範囲は以下の実施例に示した具体的な用途、形状、個数などには限定されないことは言うまでもない。
【実施例１】
【００２２】
実施例１にかかる本発明の注射トレーニング器具の例を示す。
図１は実施例１にかかる注射トレーニング器具１００の構成を簡単に示した図である。
図１に示すように、注射トレーニング器具１００は、上から順に、皮膚模擬層１１０、皮下組織模擬層１２０、注射針穿通防止層１３０、粘着層１４０の４層構造となっている。また、模擬血管チューブ１５０が埋設されている。
【００２３】
皮膚模擬層１１０は、硬度が小さく注射針が穿通でき、表面粘性が小さく裏面粘性が大きく薄手に形成されたシート状のものである。
皮膚模擬層１１０の硬度に関しては皮膚の柔らかさに近いものが好ましく、例えば、ゴム硬度１０から３０度程度とすることができる。この硬度であれば、注射針が容易に穿通でき、穿通した際の抵抗が皮膚の抵抗と近くなる。
うう  皮膚模擬層１１０の表面の粘性は比較的小さいものとする。つまり、いわゆる“さらさら”とした感覚が皮膚の感覚と近くなるからである。
皮膚模擬層１１０の裏面の粘性は比較的大きいものとする。皮下組織模擬層１２０に対して脱着できるように構成するので、皮膚模擬層１１０の裏面側と皮下組織模擬層１２０の表面側とも粘性の大きなものであれば、両者がしっかりと貼り付けることができ、注射針の穿通の練習の間にも安定した状態となる。
【００２４】
皮膚模擬層１１０の素材は、例えば、シリコーンゲル素材とする。シリコーンゲル素材には、様々な硬度のもの、様々な粘性のものがある。ここでは表面側は表面処理により粘性を抑えたものとする。
皮膚模擬層１１０の色は、例えば、透明のものと肌色のものの２種類がある。それぞれ選択して入れ替え可能とすることが好ましい。上記のように、皮下組織模擬層１２０に対して脱着できるので、透明なものと肌色のものを入れ替えることができる。透明なものは、内部の模擬血管チューブを目視しつつ練習を行うことができる。一方、肌色であれば、より一層、実際の患者の腕に近い感覚で練習することができる。
【００２５】
皮下組織模擬層１２０は、硬度が小さく注射針が穿通でき、粘性が大きく、厚手に形成された板状のものである。
皮下組織模擬層１２０の硬度に関しては体内組織の柔らかさに近いものが好ましく、例えば、ゴム硬度１０から３０度程度とすることができる。この硬度であれば、皮膚模擬層１１０と同様、注射針が容易に穿通でき、穿通した際の抵抗が人体組織の抵抗と近くなる。
【００２６】
皮下組織模擬層１２０の粘性は比較的大きいものとする。皮下組織模擬層１２０はもっとも厚手で中心的な構造物であるので、皮下組織模擬層１２０の粘性を比較的大きくしておくことにより、全体として人体組織の柔らかさやしなやかさを再現することができる。
皮下組織模擬層１２０の素材は、例えば、シリコーンゲル素材とする。シリコーンゲル素材のうち、硬度が比較的小さく、粘性も比較的大きなものを選定する。
【００２７】
注射針穿通防止層１３０は、硬度が大きく注射針の貫通を防止する板状のものである。
注射針穿通防止層１３０の硬度は、注射針の貫通を防止するように大きいものとする必要があるが、注射トレーニング器具１００は腕の上に載せ置くものなので可撓性があり、腕に沿うように曲がる程度のものとする。例えば、ゴム硬度が６０より大きく８０度程度ぐらいまでとすることができる。この硬度はタイヤのゴム程度からやや硬い程度の硬度であり、注射針が容易には穿通できないが、ある程度の可撓性は確保されるものとなる。
注射針穿通防止層１３０の素材は、例えば、プラスチック樹脂またはゴム素材とすることができる。
【００２８】
粘着層１４０は、粘度が大きく練習台または練習台となる者の腕に粘着しやすくするものである。注射針を穿通する際、注射トレーニング器具１００に対して多少の押下力が掛かるが、その押下力でずれ動いたりすると練習を阻害する。そこで、粘着層１４０を設けることにより練習台または練習台となる者の腕との間の摩擦力が格段に増えるため、ずれ動くことがなくなる。
【００２９】
模擬血管チューブ１５０は、注射トレーニング器具１００の内部に埋設されたもので、組織内の血管を模したものである。
模擬血管チューブ１５０の素材は、例えばプラスチック樹脂素材であり、硬度は皮下組織模擬層１２０よりもやや大きなものとする。例えば、皮下組織模擬層１２０のゴム硬度を１５で製作したものであれば、模擬血管チューブ１５０のゴム硬度は２５程度とすることができる。このように周囲の構造物よりもやや硬度が大きい程度であれば、人体の血管に近い感覚を得やすい。なお、実際の人体の血管は、弾力性に富んだ状態の血管や、血管が硬化して比較的硬くなっているものがあるため、模擬血管チューブ１５０の硬度も、やや柔らかいもの、やや硬いものなどバリエーションを持たせても良い。
また、模擬血管チューブの色であるが、人間の静脈の色に模した色とすることができる。一般に静脈の色は深い緑または紫色のようなものが多いがそう言う色にしておけば良い。
【００３０】
次に、模擬血管チューブ１５０の埋設にも複数のバリエーションがある。なぜならば、人体の血管は皮膚の下の走り方は多様であり、その太さ、深さ、形状などは人によって多様であり、その多様さを再現して練習するため、様々なパターンを再現するのである。
【００３１】
図２は、模擬血管チューブ１５０の様々な走り方のパターンを示すものである。なお、本発明の注射トレーニング器具１００の模擬血管チューブ１５０の走り方はこの図２のパターン以外のパターンもあり得ることは言うまでもない。
【００３２】
図２（ａ）は、太さのパターンを示している。左から、太いタイプ、やや太いタイプ、中ぐらいのタイプ、やや細いタイプ、細いタイプと並べて示している。
【００３３】
図２（ｂ）は、深さのパターンを示している。深さが分かりやすいように断面図で示している。
図２（ｂ）一番左にあるものは浅いタイプであり、皮膚模擬層１１０と皮下組織模擬層１２０の間に挟まれている状態である。これは、皮膚下で盛り上がって見えるような浅い位置にある血管などが再現できる。
図２（ｂ）左から２番目は、少なくとも一部が皮下組織模擬層１２０に埋没しており、上面側が皮膚模擬層１１０により被覆された状態である。これは、皮膚下で比較的浅い位置にある血管などが再現できる。
図２（ｂ）左から３番目は、皮下組織模擬層１２０に埋没しているが、比較的皮下組織模擬層１２０の浅い位置に埋設されている状態である。これは、皮膚下で比較的深い位置にある血管などが再現できる。
図２（ｂ）左から４番目は、皮下組織模擬層１２０に埋没しており、比較的皮下組織模擬層１２０の深い位置に埋設されている状態である。これは、皮膚下で深い位置にある血管などが再現できる。
【００３４】
図２（ｃ）は、形状のパターンを示している。形状が分かりやすいように上面を示している。
図２（ｃ）の一番左にあるものは、真っ直ぐなタイプである。
図２（ｃ）の左から２番目にあるものは、カーブしているタイプである。
図２（ｃ）の左から３番目にあるものは、迷走しているタイプである。
【００３５】
なお、模擬血管チューブ１５０の様々なバリエーションのものを練習するため、模擬血管チューブ１５０も入れ替え可能な構造としておくことが好ましい。模擬皮膚層１１０を取り除き、模擬血管チューブ１５０を露出させて別の模擬血管チューブ１５０と入れ替えれば良い。
【００３６】
次に、使用時の様子を述べる。
図３は、注射トレーニング器具１００の使用時の状態を簡単に示した図である。
ここでは、注射トレーニング器具１００の使用例として、図３（ａ）に使用例１、図３（ｂ）に使用例２を示す。
使用例１は、練習に協力してくれる練習台となる者の腕の上に注射トレーニング器具１００を載せ置いて練習する使用例である。実際の患者や被験者の腕の湾曲具合や呼吸や脈拍による微振動など、生体特有の条件も再現することができる。なお、注射針穿通防止層１３０があるので、誤って深く穿通したとしても練習台の者の腕を傷つける心配はない。
使用例２は、机などの台の上に静置して練習する使用例である。
【００３７】
次に、図４は、注射針を穿通する様子をシミュレートした図である。図４は分かりやすいように、少し拡大した縦断面図で示している。分かりやすいように、模擬血管チューブ１５０にはハッチングを施している。なお、例示した模擬血管チューブ１５０の太さは図２（ａ）の一番左の太いタイプ、埋設の深さは図２（ｂ）の左から３番目の比較的深いタイプ、形状は図２（ｃ）の一番左の真っ直ぐなタイプものとした。
【００３８】
図４（ｂ）は、正しく穿通できた例である。
注射針２００が、上面の皮膚模擬層１１０を貫いてその下方にある皮下組織模擬層１２０に到達し、さらに注射針２００を進めて模擬血管チューブ１５０の中に穿通が成功した例である。
図４（ｃ）は、穿通が失敗し、深く穿通しすぎた例である。
注射針２００が、上面の皮膚模擬層１１０を貫いてその下方にある皮下組織模擬層１２０に到達し、さらに、模擬血管チューブ１５０も貫通してしまい、注射針穿通防止層１３０に到達してしまった例である。この例では、注射針穿通防止層１３０において注射針のそれ以上の穿通が防止され、練習者は注射針の抵抗を感じることができ、深く穿通しすぎたことを学習することができる。
【００３９】
以上、実施例１にかかる注射トレーニング器具１００によれば、皮膚模擬層１１０によりいわゆるさらさらした人間の皮膚感に近づけつつ、皮下組織模擬層１２０の下には注射針穿通防止層１３０が設けられているので、誤って深く穿通した場合でも、注射針２００が注射トレーニング器具１００を突き破って裏面から突き出ることがない。そのため、練習台となる者の実際の腕に載せ置いて練習している場合でも、練習台となる者の腕を傷つけるおそれがなくなる。
【実施例２】
【００４０】
次に、実施例２にかかる注射トレーニング器具１００ａについて説明する。
実施例２にかかる注射トレーニング器具１００ａは、皮下組織模擬層１２０の中に模擬血液を含有させた模擬血液封入体１６０をまばらに埋設して配置したものである。
【００４１】
図５は、実施例２にかかる注射トレーニング器具１００ａを示す図である。
図５に示すように、注射トレーニング器具１００ａは、上面から見れば、模擬血管チューブ１５０が走っているのが見えるが、その周囲にまばらに模擬血液封入体１６０が配置されている。
【００４２】
模擬血液封入体１６０は、注射針で穿通可能な膜にて模擬血液を封入したものである。これは、実際の注射において、注射針の穿通時に穿通箇所の状況によって出血することがあるが、その偶然性も再現することができる。
模擬血液封入体１６０の素材は、模擬血管チューブ１５０と同じ素材で良い。
なお、模擬血液封入体１６０も、模擬血管チューブ１５０と同様、入れ替え可能な構造とすることが好ましい。模擬皮膚層１１０を取り除き、模擬血液封入体１６０を取り出して別の模擬血液封入体１６０と入れ替えれば良い。
【００４３】
図６は、注射針２００を穿通する様子をシミュレートした図である。図６は分かりやすいように、少し拡大した縦断面図で示している。分かりやすいように、模擬血管チューブ１５０および模擬血液封入体１６０にはハッチングを施している。なお、例示した模擬血管チューブ１５０の太さは図２（ａ）の一番左の太いタイプ、埋設の深さは図２（ｂ）の左から３番目の比較的深いタイプ、形状は図２（ｃ）の一番左の真っ直ぐなタイプものとした。
【００４４】
図６（ｂ）は、比較的正しく穿通できた例である。
注射針２００が、上面の皮膚模擬層１１０を貫いてその下方にある皮下組織模擬層１２０に到達し、さらに、模擬血管チューブ１５０の中に穿通が成功した例である。
図６（ｃ）は、穿通した注射針が、模擬血液封入体１６０に刺さった場合を示している。注射針２００により模擬血液封入体１６０の膜が破れ、模擬血液が漏れ出すこととなる。練習者は、このような状況になった場合の対処も習得することができる。
【実施例３】
【００４５】
実施例３として、注射針穿通防止層１３０の様々なバリエーションについて述べる。
注射針穿通防止層１３０は、実施例１で説明したように、硬度が大きく注射針の貫通を防止する板状のものであるが、その一方、厚くしすぎると可撓性が失われ、練習台となる人の腕の上に載せても沿わなくなってしまう。そのためある程度薄く保たざるを得ない。そこで、薄手でありながらも、その形状を工夫することにより、注射針の貫通を防止する効果を高めたものである。
【００４６】
図７は、注射針穿通防止層１３０ａの表面にギザ状の突起体１３１を設ける工夫例を示した図である。
図７は、注射針穿通防止層１３０ａを取り出してその形状を示したものとなっている。図７（ａ）は注射針穿通防止層１３０ａの平面図、図７（ｂ）は注射針穿通防止層１３０ａの横断面図の一部を示したものとなっている。
【００４７】
注射針穿通防止層１３０ａの基本的形状は平面状の板体が基本であるが、図７の例はその平面の上にギザ状の突起体１３１を連続させた板体となっている。
図７（ａ）および（ｂ）に示すように、あたかも洗濯板のように表面にギザ状の山の突起体１３１が形成されている。このような形状であれば、注射針の貫通を防止する効果が高まる。
【００４８】
図７（ｃ）は注射針２００を深く穿通して注射針穿通防止層１３０ａに到達した図である。注射針２００の穿通練習にあたっては、所定の比較的浅い角度で穿通していく。その角度よりも大きな角度斜面を持ったギザ状の山を持たせておくと、注射針２００は、基本形の平面に至るまでにかならずギザ状の突起体１３１の斜面に到達することとなる。図７（ｃ）に示すように、注射針２００が貫通方向の注射針穿通防止層１３０ａの長さが厚くなり、あたかも注射針穿通防止層１３０ａの厚みを厚くしたのと同様の効果が得られることとなり、薄手でありながらも注射針２００の貫通を防止する効果を高めたものとなる。その一方で注射針穿通防止層１３０ａの可撓性は基本的な平面の厚みの場合と同様の可撓性が確保されている。
【００４９】
次に、図８は、注射針穿通防止層１３０ｂの表面にピラミッド状の突起体１３２を四方に連続させた工夫例を示した図である。
図８は、注射針穿通防止層１３０ｂを取り出してその形状を示したものとなっている。図８（ａ）は注射針穿通防止層１３０ｂの平面図、図８（ｂ）は注射針穿通防止層１３０ｂの横断面図の一部を示したものとなっている。
【００５０】
注射針穿通防止層１３０ｂの基本的形状は平面状の板体が基本であるが、図８の例はその平面の上にピラミッド状の突起体１３２が四方に連続したものとなっている。
図８（ａ）および（ｂ）に示すように、表面にピラミッド状の突起体１３２が形成されている。このような形状であれば、注射針の貫通を防止する効果が高まる。
【００５１】
図８（ｃ）は注射針２００を深く穿通して注射針穿通防止層１３０ｂに到達した図である。注射針２００の穿通角度よりも大きな角度斜面を持ったピラミッド状の突起体１３２が形成されていれば、注射針２００は、基本形の平面に至るまでにかならずピラミッド状の突起体１３２の山の斜面に到達することとなる。図８（ｃ）に示すように、注射針２００が貫通方向に対する注射針穿通防止層１３０の長さが厚くなり、あたかも注射針穿通防止層１３０ｂの厚みを厚くしたのと同様の効果が得られることとなり、薄手でありながらも注射針２００の貫通を防止する効果を高めたものとなる。その一方で注射針穿通防止層１３０ｂの可撓性は基本的な平面の厚みの場合と同様の可撓性が確保されている。
また、ピラミッド状の突起体１３２であるので、穿通方向が縦方向でも横方向でも同様の効果が得られるという利点もある。
【００５２】
次に、図９は、注射針穿通防止層１３０ｃの表面にドーム状の突起体１３３を四方に連続させた工夫例を示した図である。
図９は、注射針穿通防止層１３０ｃを取り出してその形状を示したものとなっている。図９（ａ）は注射針穿通防止層１３０ｃの平面図、図９（ｂ）は注射針穿通防止層１３０ｃの横断面図の一部を示したものとなっている。注射針穿通防止層１３０ｃの基本的形状は平面状の板体が基本であるが、図９の例はその平面の上にドーム状の突起体１３３が四方に連続したものとなっている。このような形状であれば、注射針の貫通を防止する効果が高まる。
【００５３】
図９（ｃ）は注射針２００を深く穿通して注射針穿通防止層１３０に到達した図である。少なくとも一部が注射針２００の穿通角度よりも大きな角度斜面を持ったドーム状の突起体１３３が形成されていれば、注射針２００は、基本形の平面に至るまでにかならずドーム状の山の斜面に到達することとなる。図９（ｃ）に示すように、注射針２００が貫通方向に対する注射針穿通防止層１３０ｃの長さが厚くなり、あたかも注射針穿通防止層１３０ｃの厚みを厚くしたのと同様の効果が得られることとなり、薄手でありながらも注射針２００の貫通を防止する効果を高めたものとなる。
また、ドーム状の突起体であるので、穿通方向が縦方向でも横方向でも同様の効果が得られるという利点もある。
【００５４】
次に、練習者にとって注射針から受ける反応が分かりやすくなる効果について説明する。図７、図８、図９のいずれの例でも、皮下組織模擬層１２０と注射針穿通防止層１３０との境界面においてわずかであるが隙間ができる。
この隙間は注射針２００から受ける抵抗に大きな変化、大きなアクセントを生む。つまり、練習者が感じる注射針２００から受ける抵抗が、隙間に達して一瞬軽くなり、その後注射針穿通防止層１３０に当たって急に大きくなるという感覚を得ることができる。このアクセントにより、練習者が誤って注射針２００を深く穿通しすぎていることを触感で感得することができる。
【００５５】
以上、本発明の注射トレーニング器具の構成例における好ましい実施形態を図示して説明してきたが、本発明の技術的範囲を逸脱することなく種々の変更が可能であることは理解されるであろう。
【産業上の利用可能性】
【００５６】
本発明の注射トレーニング器具は、実際の注射器を用いた注射トレーニング器具として広く適用することができる。
【符号の説明】
【００５７】
１００，１００ａ  注射トレーニング器具
１１０  皮膚模擬層
１２０  皮下組織模擬層
１３０  注射針穿通防止層
１４０  粘着層
１５０  模擬血管チューブ
１６０  模擬血液封入体
２００  注射針
【要約】
【課題】  机の上に静置した状態または練習台となる者の実際の腕に載せ置いた状態にて、皮下の血管の適切な位置を探して穿通するという注射技量の習得が可能となる注射トレーニング器具を提供する。
【解決手段】  硬度が小さく注射針が穿通でき、薄手に形成されたシート状の皮膚模擬層１１０と、硬度が小さく注射針が穿通でき、粘性が大きく厚手に形成された板状の皮下組織模擬層１２０と、硬度が大きく注射針の貫通を防止する板状の注射針穿通防止層１３０と、粘性が大きく練習台または練習台となる者の腕に粘着しやすい粘着層１４０と、皮下組織模擬層１２０の表面上または半埋没または埋没させるように配置した１本または複数本の模擬血管チューブを備え、注射器を用いた注射の練習を行う注射トレーニング器具である。注射針穿通防止層１３０があるので、練習台の者の腕を誤って穿通することがなく安全性が確保されている。
【選択図】  図１【図１】
0005870349.tif 000002
【図２】
0005870349.tif 000003
【図３】
0005870349.tif 000004
【図４】
0005870349.tif 000005
【図５】
0005870349.tif 000006
【図６】
0005870349.tif 000007
【図７】
0005870349.tif 000008
【図８】
0005870349.tif 000009
【図９】
0005870349.tif 000010
【図１０】
0005870349.tif 000011
【図１１】
0005870349.tif 000012
【図１２】
0005870349.tif 000013